(57)【特許請求の範囲】
【請求項１】
（イ）基礎の必要箇所を欠き取り、土台下にジャッキをセットし、土台下にＨ形鋼を設置し、このＨ形鋼の交差部及び継手を溶接し、次に、略コの字状の鋼板製部材間下部にナット及び固定用ボルトを取付けて成るアンカ−金具で、土台とＨ形鋼を締め付け溶接し固定し、
（ロ）上記Ｈ形鋼をジャッキアップし、支柱上部にスリ−ブ、微調整用ボルト及び微調整用ナットを設けて成る微調整金具を、Ｈ形鋼下の適宜複数箇所に配置し溶接し、この微調整用ボルトで微調整を行い建物全体の水平状態を確認後、この微調整金具と基礎鉄筋とを溶接固定し、
（ハ）このＨ形鋼鉄骨架台を撤去せずそのまま防錆処理を行い、基礎コンクリ−トを打設し基礎と一体のものとする。
という上記（イ）、（ロ）、（ハ）の工程を含むことを特徴とする木造建築物の土台揚げ曳舞い工事におけるＨ形鋼鉄骨架台工法。
【発明の詳細な説明】
【０００１】
【発明の属する技術分野】
本発明は、木造建築物の土台揚げ曳舞い工事に係るＨ形鋼鉄骨架台工法に関するものであり、より詳しくは、Ｈ形鋼を架台としてアンカ−金具と微調整金具を用い、防錆処理を行い、そのまま基礎鉄筋と共にコンクリ−トを打設するＨ形鋼鉄骨架台工法に関するものである。
【０００２】
【従来の技術】
従来より、木造建築物の土台揚げ工事の工法は、一部基礎を解体し、土台下に直接ジャッキ等をセットして土台揚げを施行するか、又は、Ｈ形鋼あるいはレ−ルを土台下に建物を横断する形で何箇所か設置し、両端をボルト締めした上で建物の外回りにジャッキをセットし土台揚げの施行が行われていた。
【０００３】
また、曳家の従来工法の場合、一部基礎を解体し、Ｈ形鋼あるいはレ−ルを土台下に建物を横断する形で何箇所か設置し、その下にコロ等をセットして施工が行われていた。
【０００４】
このため、土台揚げの場合は、建物の重量がジャッキのセットされている箇所に集中的にかかり、垂直方向および水平方向への荷重が均一にゆかなくなり、土台ばかりでなく建物全体にゆがみが生じ、その結果工事の最終過程でさまざまな補修をしなければ再利用できなかった。
曳家の場合は、建物の荷重を柱下で受けることを基本としていないため、バランスのよい施工とならない結果となっていた。又、建物の重量が受け部分に集中するなど、建物の軸組に大きな影響を与え、土台ばかりでなく建物全体にゆがみを生じ、修正補修の費用が多大に要した。
更に、いずれの従来の施工法は、使用したレ−ル又はＨ形鋼を工事完了時に取り外す、又は工事工程で建物の安定に努力したものを無に帰すこと等、合理性に欠けていたのが問題であった。
【０００５】
【発明が解決しようとする課題】
本発明は上記従来の土台揚げおよび曳き舞いの工事の施工法により、木造建築物の構造にゆがみや損傷が発生し、多大な補修費用と引越し費用が必要とされていたことに着目してなされたものであり、第１の目的は、住民が住んだまま工事を施工し、その後の補修費用を最小限または無くすることを課題とする。第２の目的は、建物にゆがみや損傷を与えず、なおかつ安全性の高い工事の施工法を提供することを課題とする。
【０００６】
【課題を解決するための手段】
本発明は上記課題を解決するために、（イ）基礎の必要箇所を欠き取り、土台にジャッキをセットし、土台下にＨ形鋼を設置し、このＨ形鋼の交差部及び継手を溶接し、次に、略コの字状の鋼板製部材間下部にナット及び固定用ボルトを取付けて成るアンカ−金具で、土台とＨ形鋼を締め付け溶接し固定し、
（ロ）上記Ｈ形鋼をジャッキアップし、支柱上部にスリ−ブ、微調整用ボルト及び微調整用ナットを設けて成る微調整金具を、Ｈ形鋼下の適宜複数箇所に配置し溶接し、この微調整用ボルトで微調整を行い建物全体の水平状態を確認後この微調整金具と基礎鉄筋とを溶接固定し、
（ハ）このＨ形鋼鉄骨架台を撤去せずそのまま防錆処理を行い、基礎コンクリ−トを打設し基礎と一体のものとする。
という上記（イ）、（ロ）、（ハ）の工程を含む木造建築物の土台揚げ、曳舞い工事のＨ形鋼鉄骨架台工法であることを特徴とする。
【０００７】
【発明の実施の形態】
以下、本発明の好適な実施の形態を、まず図１により、土台とＨ形鋼鉄骨架台に取付ける本アンカ−金具から説明する。
略コの字に形成した鋼板製部材１Ａ，１Ｂ間の下部にナット２を設け固定用ボルト３を取付ける。
【０００８】
そうすれば、土台とＨ形鋼に横から取付けボルトで締め付ければ、ボッチが土台に食い込むような状態となり、図２のように、土台とＨ形鋼鉄骨架台をおよそコの字に挟持する構成としたものである。
尚、このアンカ−金具は適宜複数適所に取付けられる。
【０００９】
又、本微調整金具を説明する。
図３のように、支柱６の上部にスリ−ブ７、Ｈ形鋼下面に設ける微調整用ボルト８・微調整用ナット９を設けて本微調整金具Ｔを構成する。
【００１０】
次に、Ｈ形鋼を架台とした本Ｈ形鋼鉄骨架台工法について説明する。
▲１▼基礎の一部を欠き取り、土台にジャッキをセットする（図４，図５参照）。
▲２▼基礎の一部を安全性を考慮した一定区間を欠き取り、Ｈ形鋼を設置する空間を確保する（図６，図７参照）。
▲３▼土台下にＨ形鋼１０をセットする（図８，図９参照）。
この場合、例えば図１６に示す床とした場合は図１７に示すように、その土台の全てにＨ形鋼１０を設置する。
そして、このＨ形鋼１０の交差部及び継手を溶接し、上述のアンカ−金具Ｋで土台とＨ形鋼１０を締め付け、固定用ボルト３を溶接する。尚、アンカ−金具Ｋの取付け間隔は、本一実施例として９０ｃｍ間隔としている。
▲４▼建物全体にＨ形鋼を設置し、Ｈ形鋼鉄骨架台上に建物全体を載せ、建物全体をジャッキアップする（図１０，図１１参照）。
▲５▼Ｈ形鋼下に上述の微調整金具Ｔを設置し、微調整用ボルトで微調整を行ない、建物全体の水平を確認後、この微調整用ボルトを溶接固定すると共に、微調整金具Ｔを基礎鉄筋と溶接固定する（図１２，図１３参照）。
▲６▼このＨ形鋼鉄骨架台に防錆処理を行う。
▲７▼そのままの状態で、型枠が設置され、コンクリ−トが打設され、この基礎の中に完全に一体となるものである。（図１４，図１５参照）
尚、この図は、Ｈ形鋼、本アンカ−、本不陸微調整金具、及び鉄筋の状況はコンクリ−トを透過したと仮定したものである。
【００１１】
尚、図１６は、一木造建築物の土台の参考図である。
図１７は、Ｈ形鋼鉄骨架台を土台下に設置することを示す参考図である。
また、これらの図において、土台のない箇所にもＨ形鋼鉄骨架台が設置されているのは、建物構造上及び工事施工上の両面から検討して弱部と判断される部分へのＨ形鋼鉄骨架台の設置を意味し、このことを含めてＨ形鋼鉄骨架台と称するものである。
【００１２】
【発明の効果】
本発明のＨ形鋼鉄骨架台工法では、本アンカ−金具により土台とＨ形鋼鉄骨架台を略コの字状に挟持するように、且つ、ボッチが土台を的確に固定し、ボルトで固定する構成だから、施工中に建物と架台が離反または横ずれなどを防止し、Ｈ形鋼鉄骨架台の上に建物を安定した状態にすることができる。
【００１３】
また、本微調整金具では、わずかな微調整を行うことができる。
【００１４】
また、Ｈ形鋼を架台して、及びアンカ−金具、微調整金具を用いた木造建築物の土台揚げ、曳舞い工事のＨ形鋼鉄骨架台工法により、土台下に沿って全ての土台にＨ形鋼鉄骨架台を設置することができるようになった。
しかも、本アンカ−金具で土台を締め付け後に溶接固定し、その後、土台揚げおよび曳き舞いにより定位置に配置された建物を最終的に水平を確定する際に、微調整金具をＨ形鋼鉄骨架台下にセットし、微調整用ボルトによりレベル出し、微調整用ボルトを溶接固定して微調整金具全体も基礎の鉄筋と溶接固定することにより基礎をより強固なものにする。
更に、Ｈ形鋼鉄骨架台をはずさないでそのまま防錆処理をして基礎と一体のものとしてコンクリ−トの中に埋め込み仕上げることとしたので、工事完了後は基礎と建物を緊結するアンカ−の役割を果たす効果を奏する。
【００１５】
この為、建物の安定状態を維持すると共に、この補修後の建物の補修費においては最小限に留めることが可能であり、費用の縮減を計るものである。
更に、既存の建物にゆがみや損傷を与えず、家の安定状態を保ちながら、建物の住民が住んだまま工事を進行完了することができる、という安全性の高い工事を施工することができる工法である。
【図面の簡単な説明】
【図１】本アンカ−金具を示す説明図である。
【図２】本アンカ−金具の取付け状態を示す斜視図である。
【図３】本微調整金具を示す斜視図である。
【図４】基礎の必要箇所を欠き取り、土台にジャッキをセットした側面図である。
【図５】図４の断面図である。
【図６】基礎の一部を安全性を考慮した一定区間を欠き取りＨ形鋼を設置する空間を確保した側面図である。
【図７】図６の断面図である。
【図８】土台下にＨ形鋼をセットし、交差部および継ぎ手を溶接し、約９０ｃｍ間隔で本アンカ−金具で土台とＨ形鋼を締め付け溶接し固定した状態の側面図。
【図９】図８の断面図である。
【図１０】建物全体にＨ形鋼を設置し、Ｈ形鋼架台上に建物全体を載せ、建物全体をジャッキアップしている側面図である。
【図１１】図１０の断面図である。
【図１２】Ｈ形鋼下に本微調整金具を溶接設置し、不陸の微調整を行い建物全体の水平を確認後に微調整用ボルトを溶接固定、本微調整金具を基礎の鉄筋と溶接固定した側面図である。
【図１３】図１２の断面図である。
【図１４】図１２の状態で型枠を設置し、コンクリ−トを打設、硬化後型枠をはずした基礎の側面図である。（ただし、Ｈ形鋼、本アンカ−金具、本微調整金具、鉄筋の状況はコンクリ−トを透過したと仮定した図である。）
【図１５】図１４の断面図である。
【図１６】例示としての木造建築物の土台の参考図である。
【図１７】図１６の土台下にＨ形鋼鉄骨架台を設置した参考図である。（ただし、土台がない所にＨ形鋼が設置されているのは、建物構造上と工事施工上の両面から検討した結果弱部と判断されるところへのＨ形鋼の設置を意味し、これも含めてＨ形鋼鉄骨架台と称するものである。）
【符号の説明】
Ｋ‥‥‥‥‥アンカ−金具
１Ａ，１Ｂ‥鋼板製部材
２‥‥‥‥‥ナット
３‥‥‥‥‥固定用ボルト
４‥‥‥‥‥ボッチ
Ｔ‥‥‥‥‥微調整金具
６‥‥‥‥‥支柱
７‥‥‥‥‥スリ−ブ
８‥‥‥‥‥微調整用ボルト
９‥‥‥‥‥微調整用ナット
１０‥‥‥‥‥Ｈ形鋼鉄骨架台
【図１】
0003991071.tif 000002
【図２】
0003991071.tif 000003
【図３】
0003991071.tif 000004
【図４】
0003991071.tif 000005
【図５】
0003991071.tif 000006
【図６】
0003991071.tif 000007
【図７】
0003991071.tif 000008
【図８】
0003991071.tif 000009
【図９】
0003991071.tif 000010
【図１０】
0003991071.tif 000011
【図１１】
0003991071.tif 000012
【図１２】
0003991071.tif 000013
【図１３】
0003991071.tif 000014
【図１４】
0003991071.tif 000015
【図１５】
0003991071.tif 000016
【図１６】
0003991071.tif 000017
【図１７】
0003991071.tif 000018